(57)【要約】【課題】  ユーザーの使い勝手をより向上させることが可能な信号入力ユニット等を提供すること。【解決手段】  信号入力ユニットが、画像信号または音声信号が入力される信号入力端子２１０と、信号入力端子２１０に入力された信号をデジタルデータに変換する信号変換部２２０と、信号変換部２２０によって変換されたデジタルデータをホスト部３１０に伝送する伝送部２３０を有する入力端子ユニット２００と、複数の入力端子ユニット２００と接続可能なホスト部３１０と、ホスト部３１０に伝送されたデジタルデータを無線でプロジェクターへ向け送信するホスト側通信部３２０を含んで構成される。【選択図】  図４
2011203619.tif 000002
【特許請求の範囲】
【請求項１】
画像信号または音声信号が入力される信号入力端子と、当該信号入力端子に入力された信号をデジタルデータに変換する信号変換部と、当該信号変換部によって変換された前記デジタルデータを有線または無線でホスト部に伝送する伝送部とを有する入力端子ユニットと、
複数の前記入力端子ユニットと有線または無線で接続可能な前記ホスト部と、
前記ホスト部に伝送された前記デジタルデータを有線または無線でプロジェクターへ向け送信するホスト側通信部と、
を含む信号入力ユニット。
【請求項２】
請求項１に記載の信号入力ユニットにおいて、
前記ホスト側通信部は、前記プロジェクターと接続した際、または前記入力端子ユニットが前記ホスト部に接続された際に、前記入力端子ユニットの接続状況を示す接続状況情報を前記プロジェクターへ向け送信する、
信号入力ユニット。
【請求項３】
請求項２に記載の信号入力ユニットにおいて、
制御部を含み、
前記ホスト側通信部は、前記接続状況に応じて決定される前記信号ごとの使用対象を示す使用対象情報を前記プロジェクターから受信し、
前記制御部は、前記使用対象情報に基づき、前記使用対象の前記入力端子ユニットからの信号が送信されるように、前記ホスト部または前記ホスト側通信部を制御する、
信号入力ユニット。
【請求項４】
請求項１に記載の前記信号入力ユニットから前記デジタルデータを受信する投写側通信部と、
前記デジタルデータが画像データである場合、当該画像データに基づき、画像を生成する画像生成部と、
当該画像生成部によって生成される画像を投写する投写部と、
前記デジタルデータが音声データである場合、当該音声データに基づき、音声を生成する音声生成部と、
当該音声生成部によって生成される音声を出力する音声出力部と、
を含むプロジェクター。
【請求項５】
請求項２に記載の前記信号入力ユニットから前記デジタルデータと、前記接続状況情報とを受信する投写側通信部と、
前記デジタルデータが画像データである場合、当該画像データに基づき、画像を生成する画像生成部と、
当該画像生成部によって生成される画像を投写する投写部と、
前記デジタルデータが音声データである場合、当該音声データに基づき、音声を生成する音声生成部と、
当該音声生成部によって生成される音声を出力する音声出力部と、
を含み、
前記画像生成部は、前記接続状況情報に基づき、接続中の前記入力端子ユニットに関する情報を一覧表示する一覧表示画像を生成し、
前記投写部は、前記一覧表示画像を投写する、
プロジェクター。
【請求項６】
請求項３に記載の前記信号入力ユニットから前記デジタルデータと、前記接続状況情報とを受信する投写側通信部と、
前記デジタルデータが画像データである場合、当該画像データに基づき、画像を生成する画像生成部と、
当該画像生成部によって生成される画像を投写する投写部と、
前記デジタルデータが音声データである場合、当該音声データに基づき、音声を生成する音声生成部と、
当該音声生成部によって生成される音声を出力する音声出力部と、
前記使用対象情報を生成する情報生成部と、
を含み、
前記画像生成部は、前記接続状況情報に基づき、接続中の前記入力端子ユニットに関する情報を一覧表示するとともに、使用対象の前記入力端子ユニットを選択させる一覧表示画像を生成し、
前記投写部は、前記一覧表示画像を投写し、
前記情報生成部は、前記入力端子ユニットの選択に応じて前記使用対象情報を生成し、
前記投写側通信部は、前記使用対象情報を前記信号入力ユニットへ向け送信する、
プロジェクター。
【請求項７】
請求項１〜３のいずれかに記載の前記信号入力ユニットと、
請求項４〜６のいずれかに記載の前記プロジェクターと、
を含む投写システム。
【請求項８】
画像信号または音声信号が入力される信号入力端子と、信号変換部と、伝送部とを有する入力端子ユニットと、
複数の前記入力端子ユニットと有線または無線で接続可能な前記ホスト部と、
ホスト側通信部と、
を含む信号入力ユニットにおけるデジタルデータ送信方法であって、
前記信号変換部は、前記信号入力端子に入力された信号をデジタルデータに変換し、
前記伝送部は、前記信号変換部によって変換された前記デジタルデータを有線または無線で前記ホスト部に伝送し、
前記ホスト側通信部は、前記ホスト部に伝送された前記デジタルデータを有線または無線でプロジェクターへ向け送信する、
デジタルデータ送信方法。
【発明の詳細な説明】
【技術分野】
【０００１】
本発明は、信号入力ユニット、プロジェクター、投写システムおよびデジタルデータ送信方法に関する。
【背景技術】
【０００２】
例えば、テレビの場合、ＡＶアンプやＤＶＤプレーヤーと同様に、視聴者とは離れた位置の前面に配置されるため、テレビとＡＶアンプ等を接続する接続ケーブルも短くて済む。これに対し、プロジェクターの場合、テレビとは異なり、視聴者の近くの前面、側面または背面に配置されるため、ＡＶアンプ等と接続するケーブルが長くなる上、ケーブルが邪魔になってしまう。
【０００３】
例えば、特開２００７−３１８４８４号公報では、アダプターを用いて画像入力端子を分離する手法が記載されている。
【先行技術文献】
【特許文献】
【０００４】
【特許文献１】特開２００７−３１８４８４号公報
【発明の概要】
【発明が解決しようとする課題】
【０００５】
しかし、この手法の場合、多様な信号入力端子を搭載する場合、アダプターが大きくなってしまう上、新たな信号入力端子に対応するためにはアダプターそのものを交換しなければならず、ユーザーの使い勝手がよくない。
【０００６】
本発明にかかるいくつかの態様は、上記課題を解決することにより、ユーザーの使い勝手をより向上させることが可能な信号入力ユニット、プロジェクター、投写システムおよびデジタルデータ送信方法を提供するものである。
【課題を解決するための手段】
【０００７】
本発明の態様の１つである信号入力ユニットは、画像信号または音声信号が入力される信号入力端子と、当該信号入力端子に入力された信号をデジタルデータに変換する信号変換部と、当該信号変換部によって変換された前記デジタルデータを有線または無線でホスト部に伝送する伝送部とを有する入力端子ユニットと、複数の前記入力端子ユニットと有線または無線で接続可能な前記ホスト部と、前記ホスト部に伝送された前記デジタルデータを有線または無線でプロジェクターへ向け送信するホスト側通信部と、を含むことを特徴とする。
【０００８】
また、本発明の態様の１つであるプロジェクターは、上記信号入力ユニットから前記デジタルデータを受信する投写側通信部と、前記デジタルデータが画像データである場合、当該画像データに基づき、画像を生成する画像生成部と、当該画像生成部によって生成される画像を投写する投写部と、前記デジタルデータが音声データである場合、当該音声データに基づき、音声を生成する音声生成部と、当該音声生成部によって生成される音声を出力する音声出力部と、を含むことを特徴とする。
【０００９】
また、本発明の態様の１つである投写システムは、上記デジタル信号入力ユニットと、上記プロジェクターとを含むことを特徴とする。
【００１０】
また、本発明の態様の１つであるデジタルデータ送信方法は、画像信号または音声信号が入力される信号入力端子と、信号変換部と、伝送部とを有する入力端子ユニットと、複数の前記入力端子ユニットと有線または無線で接続可能な前記ホスト部と、ホスト側通信部と、を含む信号入力ユニットにおけるデジタルデータ送信方法であって、前記信号変換部は、前記信号入力端子に入力された信号をデジタルデータに変換し、前記伝送部は、前記信号変換部によって変換された前記デジタルデータを有線または無線で前記ホスト部に伝送し、前記ホスト側通信部は、前記ホスト部に伝送された前記デジタルデータを有線または無線でプロジェクターへ向け送信することを特徴とする。
【００１１】
本発明によれば、ユーザーは、所望の入力端子ユニットをホスト部に接続することによってデジタルデータをプロジェクターに送信し、プロジェクターに画像を投写させ、音声を出力させることができる。これにより、投写システム等は、ユーザーの使い勝手をより向上させることができる。
【００１２】
また、前記ホスト側通信部は、前記プロジェクターと接続した際、または前記入力端子ユニットが前記ホスト部に接続された際に、前記入力端子ユニットの接続状況を示す接続状況情報を前記プロジェクターへ向け送信してもよい。
【００１３】
また、本発明の態様の１つであるプロジェクターは、上記信号入力ユニットから前記デジタルデータと、前記接続状況情報とを受信する投写側通信部と、前記デジタルデータが画像データである場合、当該画像データに基づき、画像を生成する画像生成部と、当該画像生成部によって生成される画像を投写する投写部と、前記デジタルデータが音声データである場合、当該音声データに基づき、音声を生成する音声生成部と、当該音声生成部によって生成される音声を出力する音声出力部と、を含み、前記画像生成部は、前記接続状況情報に基づき、接続中の前記入力端子ユニットに関する情報を一覧表示する一覧表示画像を生成し、前記投写部は、前記一覧表示画像を投写することを特徴とする。
【００１４】
本発明によれば、ユーザーは、所望の入力端子ユニットをホスト部に接続することによってデジタルデータをプロジェクターに送信し、プロジェクターに画像を投写させ、音声を出力させることができる。また、本発明によれば、接続中の入力端子ユニットに関する情報を一覧表示することができる。これにより、投写システム等は、ユーザーの使い勝手をより向上させることができる。
【００１５】
また、前記信号入力ユニットは、制御部を含み、前記ホスト側通信部は、前記接続状況に応じて決定される前記信号ごとの使用対象を示す使用対象情報を前記プロジェクターから受信し、前記制御部は、前記使用対象情報に基づき、前記使用対象の前記入力端子ユニットからの信号が送信されるように、前記ホスト部または前記ホスト側通信部を制御してもよい。
【００１６】
また、本発明の態様の１つであるプロジェクターは、上記信号入力ユニットから前記デジタルデータと、前記接続状況情報とを受信する投写側通信部と、前記デジタルデータが画像データである場合、当該画像データに基づき、画像を生成する画像生成部と、当該画像生成部によって生成される画像を投写する投写部と、前記デジタルデータが音声データである場合、当該音声データに基づき、音声を生成する音声生成部と、当該音声生成部によって生成される音声を出力する音声出力部と、前記使用対象情報を生成する情報生成部と、を含み、前記画像生成部は、前記接続状況情報に基づき、接続中の前記入力端子ユニットに関する情報を一覧表示するとともに、使用対象の前記入力端子ユニットを選択させる一覧表示画像を生成し、前記投写部は、前記一覧表示画像を投写し、前記情報生成部は、前記入力端子ユニットの選択に応じて前記使用対象情報を生成し、前記投写側通信部は、前記使用対象情報を前記信号入力ユニットへ向け送信することを特徴とする。
【００１７】
本発明によれば、ユーザーは、所望の入力端子ユニットをホスト部に接続することによってデジタルデータをプロジェクターに送信し、プロジェクターに画像を投写させ、音声を出力させることができる。これにより、投写システム等は、ユーザーの使い勝手をより向上させることができる。
【００１８】
また、本発明によれば、投写システム等は、選択に応じて使用対象の入力端子ユニットからの信号を送信させる制御を行うことができる。これにより、投写システム等は、例えば、使用対象の画像の入力端子ユニットに応じた音声の入力端子ユニットを使用することができ、適切なデジタルデータを使用することができる。
【図面の簡単な説明】
【００１９】
【図１】従来の投写状況の一例を示す図である。
【図２】第１の実施例における投写状況の一例を示す図である。
【図３】第１の実施例における投写システムの一例を示す図である。
【図４】第１の実施例における入力端子ユニットとホストユニットの機能ブロック図である。
【図５】第１の実施例におけるプロジェクターの機能ブロック図である。
【図６】第１の実施例におけるデジタルデータの送信手順を示すフローチャートである。
【図７】第２の実施例における入力端子ユニットとホストユニットの機能ブロック図である。
【図８】第２の実施例におけるプロジェクターの機能ブロック図である。
【図９】第２の実施例におけるホストユニットでの処理手順を示すフローチャートである。
【図１０】第２の実施例におけるプロジェクターでの処理手順を示すフローチャートである。
【図１１】第２の実施例における一覧表示画像の一例を示す図である。
【発明を実施するための形態】
【００２０】
以下、本発明を投写システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、従来の投写状況の一例を示す図である。ＰＣ５１０、ＤＶＤプレーヤー５２０、ビデオデッキ５３０がテレビ台５５０の収納棚に設置され、テレビ台５５０の上にテレビ５４０が配置されている。また、プロジェクター台５６０に設置されたプロジェクター５００は、ＰＣ５１０、ＤＶＤプレーヤー５２０、ビデオデッキ５３０、テレビ５４０のそれぞれとケーブルで接続されている。このような状況では、ケーブルが長くなる上、ケーブルが邪魔になってしまう。特に、プロジェクター５００の場合、天吊り状態で使用される場合もあるため、ケーブルの配線が大変になる。また、プロジェクター５００の接続端子は一般的に固定であり、新たな接続端子に対応することは困難であり、多様な信号入力端子を搭載するためにはプロジェクター５００の大きさが大きくなってしまう。
【００２２】
図２は、第１の実施例における投写状況の一例を示す図である。また、図３は、第１の実施例における投写システムの一例を示す図である。本実施例では、ホストユニット３００のＵＳＢスロットに着脱可能であり、それぞれが１つの接続端子を有する入力端子ユニット２００を有する信号入力ユニット１００を用いることにより、多様な信号入力端子に対応している。例えば、ＰＣ５１０のケーブルが入力端子ユニット２００−１に接続され、ＤＶＤプレーヤー５２０のケーブルが入力端子ユニット２００−２に接続され、ビデオデッキ５３０のケーブルが入力端子ユニット２００−３に接続され、テレビ５４０のケーブルが入力端子ユニット２００−４に接続されている。また、本実施例では、信号入力ユニット１００のホストユニット３００とプロジェクター４００が無線通信を行うことにより、信号入力ユニット１００とプロジェクター４００を接続するケーブルを不要にしている。
【００２３】
次に、このような機能を有する入力端子ユニット２００とホストユニット３００の機能ブロックについて説明する。図４は、第１の実施例における入力端子ユニット２００とホストユニット３００の機能ブロック図である。入力端子ユニット２００は、画像信号または音声信号が入力される信号入力端子２１０と、信号入力端子２１０に入力された信号をデジタルデータに変換する信号変換部２２０と、当該デジタルデータをホストユニット３００に伝送する伝送部２３０を含んで構成されている。また、ホストユニット３００は、入力端子ユニット２００からのデジタルデータが入力されるホスト部３１０と、当該デジタルデータ（データ圧縮等が行われたデータであってもよい。）をプロジェクター４００へ向け無線で送信するホスト側通信部３２０を含んで構成されている。
【００２４】
なお、入力端子ユニット２００およびホストユニット３００は、以下のハードウェアを用いてこれらの各部として機能してもよい。例えば、信号変換部２２０はコンバーター等、伝送部２３０、ホスト部３１０はＵＳＢインターフェイス等、ホスト側通信部３２０は無線ＬＡＮユニット等であってもよい。また、例えば、信号入力端子２１０は、Ｄ−Ｓｕｂ端子のように画像信号のみが入力される端子、デジタル音声端子のように音声信号のみが入力される端子、ＨＤＭＩ端子のように画像信号と音声信号の両方が入力される端子のいずれでもよい。
【００２５】
次に、プロジェクター４００の機能ブロックについて説明する。図５は、第１の実施例におけるプロジェクター４００の機能ブロック図である。プロジェクター４００は、信号入力ユニット１００からのデジタルデータ４３２を受信する投写側通信部４１０と、記憶部４３０と、記憶部４３０にデジタルデータ４３２等を記憶する更新部４２０と、デジタルデータ４３２に基づき、音声を生成する音声生成部４４０と、当該音声を出力する音声出力部４５０と、デジタルデータ４３２に基づき、画像を生成する画像生成部４６０と、当該画像を投写する投写部４７０を含んで構成されている。
【００２６】
なお、プロジェクター４００は、以下のハードウェアを用いてこれらの各部として機能してもよい。例えば、プロジェクター４００は、投写側通信部４１０は無線ＬＡＮユニット等、更新部４２０はＣＰＵ等、記憶部４３０はＲＡＭ等、音声生成部４４０は音声処理回路等、音声出力部４５０はアンプ、スピーカー等、画像生成部４６０は画像処理回路等、投写部４７０はランプ、液晶パネル、液晶駆動回路、レンズ等を用いてもよい。
【００２７】
次に、本実施例におけるデジタルデータの送信手順について説明する。図６は、第１の実施例におけるデジタルデータの送信手順を示すフローチャートである。各入力端子ユニット２００の信号変換部２２０は、信号入力端子２１０に信号が入力されたかどうかを判定する（ステップＳ１）。信号が入力された場合、信号変換部２２０は、入力信号をデジタルデータに変換する（ステップＳ２）。伝送部２３０は、当該デジタルデータをホスト部３１０に伝送する（ステップＳ３）。
【００２８】
ホスト部３１０には当該デジタルデータが入力され、ホスト側通信部３２０は、当該デジタルデータをプロジェクター４００へ向け送信する（ステップＳ４）。また、ホストユニット３００は、終了指示があったかどうかを判定し（ステップＳ５）、終了指示があるまで上述した一連の処理（ステップＳ１〜Ｓ５）を繰り返し実行する。
【００２９】
なお、各入力端子ユニット２００は、ＵＳＢコネクターを有しており、ＵＳＢスロットを有するホスト部３１０に着脱可能である。例えば、図３の例では、ＤＶＤプレーヤー５２０と接続された入力端子ユニット２００−２がホスト部３１０に接続されている。ユーザーは、所望の入力端子ユニット２００をホスト部３１０に接続することにより、所望の信号をプロジェクター４００に送信することができる。
【００３０】
更新部４２０は、投写側通信部４１０によって受信されたデジタルデータをデジタルデータ４３２として記憶部４３０に記憶する。デジタルデータ４３２が音声データである場合、音声生成部４４０は、デジタルデータ４３２に基づき、音声を生成し、音声出力部４５０は、当該音声を出力する。また、デジタルデータ４３２が画像データである場合、画像生成部４６０は、デジタルデータ４３２に基づき、画像を生成し、投写部４７０は、当該画像を投写する。
【００３１】
以上のように、本実施例によれば、ユーザーは、所望の入力端子ユニット２００をホスト部３１０に接続することによってデジタルデータをプロジェクター４００に送信し、プロジェクター４００に画像を投写させ、音声を出力させることができる。これにより、投写システム等は、ユーザーの使い勝手をより向上させることができる。
【００３２】
また、本実施例によれば、入力端子ユニット２００がホスト部３１０に着脱可能であるため、仕様が変更されたり、新たな信号が使用されたりする場合であっても、入力端子ユニット２００のみを変更すればよいため、投写システムは、より簡易に仕様の変更等に対応することができる。
【００３３】
（第２の実施例）
本実施例では、ホスト部３１０にすべての入力端子ユニット２００が接続され、ユーザーの選択に応じて使用する入力端子ユニット２００が決定される実施例について説明する。
【００３４】
図７は、第２の実施例における入力端子ユニット２００とホストユニット３０１の機能ブロック図である。ホストユニット３０１は、ホスト部３１１またはホスト側通信部３２１を制御する制御部３３０を含んで構成されている。
【００３５】
図８は、第２の実施例におけるプロジェクター４０１の機能ブロック図である。プロジェクター４０１は、接続状況データ４３４を記憶部４３１に記憶する更新部４２１と、ユーザーの指示を受け付ける受付部４９０と、当該指示等に応じて種々の情報を生成する情報生成部４８０を含んで構成され、投写側通信部４１１は、情報生成部４８０によって生成された情報をホストユニット３０１へ向け送信する機能を有している。なお、これら以外の構成はプロジェクター４００と同様であるため、説明を省略する。また、制御部３３０、情報生成部４８０はＣＰＵ等、受付部４９０はリモコン（リモートコントローラー）の受光ユニット、操作ボタン等であってもよい。
【００３６】
次に、ホストユニット３０１でのデータ処理手順について説明する。図９は、第２の実施例におけるホストユニット３０１での処理手順を示すフローチャートである。制御部３３０は、ホスト側通信部３２１からの情報に基づき、プロジェクター４０１との接続が完了したかどうかを判定する（ステップＳ１１）。
【００３７】
接続が完了した段階である場合、制御部３３０は、ホスト部３１１からの情報に基づき、入力端子ユニット２００のホストユニット３０１との接続状況を示す接続状況情報を生成し、ホスト側通信部３２１に当該接続状況情報をプロジェクター４０１へ向け送信させる（ステップＳ１２）。
【００３８】
一方、接続が完了した段階でない場合、制御部３３０は、プロジェクター４０１と接続中かどうかを判定する（ステップＳ１３）。なお、ホストユニット３００の状態は、接続が完了した段階で接続中に遷移する。
【００３９】
接続中の場合、制御部３３０は、ホスト部３１１からの情報に基づき、入力端子ユニット２００のホストユニット３０１との接続状況が変化したかどうかを判定する（ステップＳ１４）。例えば、新たな入力端子ユニット２００がホスト部３１１に接続されたり、接続中の入力端子ユニット２００がホスト部３１１から取り外された場合に接続状況が変化する。
【００４０】
接続状況が変化した場合、制御部３３０は、ホスト部３１１からの情報に基づき、入力端子ユニット２００のホストユニット３０１との接続状況を示す接続状況情報を生成し、ホスト側通信部３２１に当該接続状況情報をプロジェクター４０１へ向け送信させる（ステップＳ１５）。
【００４１】
また、接続中の場合、信号変換部２２０は、信号入力端子２１０に信号の入力があったかどうかを判定する（ステップＳ１６）。信号が入力された場合、信号変換部２２０は、入力信号をデジタルデータに変換し、伝送部２３０は、当該デジタルデータをホスト部３１０に伝送する（ステップＳ１７）。
【００４２】
また、制御部３３０は、使用中の有効な入力端子ユニット２００を決定し、ホスト側通信部３２１は、当該入力端子ユニット２００からのデジタルデータをプロジェクター４０１へ向け送信する（ステップＳ１８）。
【００４３】
また、ステップＳ１１〜Ｓ１８の処理後、制御部３３０は、ホスト側通信部３２１によってプロジェクター４０１からの使用対象情報が受信されたかどうかを判定する（ステップＳ１９）。使用対象情報が受信された場合、制御部３３０は、使用対象情報に基づき、使用対象のデジタルデータが送信されるように、ホスト部３１１およびホスト側通信部３２１を制御する（ステップＳ２０）。
【００４４】
制御部３３０は、終了指示があったかどうかを判定し（ステップＳ２１）、終了指示があるまで上述した一連の処理（ステップＳ１１〜Ｓ２１）を繰り返し実行する。
【００４５】
次に、プロジェクター４０１でのデータ処理手順について説明する。図１０は、第２の実施例におけるプロジェクター４０１での処理手順を示すフローチャートである。更新部４２１は、投写側通信部４１１によってホストユニット３０１からの接続状況情報が受信されたかどうかを判定する（ステップＰ１）。接続状況情報が受信された場合、更新部４２１は、接続状況を示す接続状況データ４３４を記憶部４３１に記憶する（ステップＰ２）。
【００４６】
また、更新部４２１は、投写側通信部４１１によってホストユニット３０１からのデジタルデータが受信されたかどうかを判定する（ステップＰ３）。デジタルデータが受信された場合、更新部４２１は、当該デジタルデータをデジタルデータ４３２として記憶部４３１に記憶する（ステップＰ４）。
【００４７】
デジタルデータ４３２が音声データである場合、音声生成部４４０は、デジタルデータ４３２に基づき、音声を生成し、音声出力部４５０は、当該音声を出力する。また、デジタルデータ４３２が画像データである場合、画像生成部４６１は、デジタルデータ４３２に基づき、画像を生成し、投写部４７０は、当該画像を投写する（ステップＰ５）。
【００４８】
情報生成部４８０は、受付部４９０からの情報に基づき、ユーザーによって一覧表示画像の投写指示があったかどうかを判定する（ステップＰ６）。一覧表示画像の投写指示があった場合、情報生成部４８０は、画像生成部４６１に制御情報を出力する。
【００４９】
画像生成部４６１は、当該制御情報と、接続状況データ４３４に基づき、一覧表示画像を生成し、投写部４７０は、当該一覧表示画像を投写する（ステップＰ７）。
【００５０】
図１１は、第２の実施例における一覧表示画像６００の一例を示す図である。例えば、一覧表示画像６００は、ホストユニット３０１におけるＵＳＢスロット番号ごとの端子種別と状況を示す。例えば、入力端子ユニット２００が接続されていないＵＳＢスロット番号では、端子種別および状況は「空き」と表示される。また、使用中のＵＳＢスロット番号では、状況が「使用中」と表示され、接続されているが使用されていないＵＳＢスロット番号では、状況が「待機中」と表示される。
【００５１】
ユーザーは、リモコン等を用いて一覧表示画像６００のカーソル画像を移動させて「変更」を選択することにより、使用対象の入力端子ユニット２００を選択（変更）することができる。また、ユーザーは一覧表示画像６００における「閉じる」を選択することにより、変更内容を確定させることができる。
【００５２】
情報生成部４８０は、受付部４９０からの情報に基づき、一覧表示画像６００で使用対象が変更されたかどうかを判定する（ステップＰ８）。使用対象が変更された場合、情報生成部４８０は、更新部４２１に使用対象を示す制御情報を出力する。更新部４２１は、当該制御情報に基づき、接続状況データ４３４を更新する（ステップＰ９）。情報生成部４８０は、接続状況データ４３４に基づき、使用対象を示す使用対象情報を生成し、投写側通信部４１１は、当該使用対象情報をホストユニット３０１へ向け送信する（ステップＰ１０）。
【００５３】
プロジェクター４０１は、終了指示があったかどうかを判定し（ステップＰ１１）、終了指示があるまで上述した一連の処理（ステップＰ１〜Ｐ１１）を繰り返し実行する。
【００５４】
以上のように、本実施例によれば、投写システムは、第１の実施例と同様の作用効果を奏する。また、本実施例によれば、投写システムは、接続中の入力端子ユニット２００に関する情報を一覧表示することができる。これにより、投写システムは、ユーザーの使い勝手をより向上させることができる。
【００５５】
また、本実施例によれば、投写システムは、ユーザーの選択に応じて使用対象の入力端子ユニット２００からの信号を送信させる制御を行うことができる。これにより、ユーザーは、入力端子ユニット２００を接続し直すことなく、所望の信号をプロジェクター４０１に使用させることができる。これにより、投写システムは、ユーザーの使い勝手をより向上させることができる。
【００５６】
（その他の実施例）
なお、本発明の適用は上述した実施例に限定されず、種々の変形が可能である。例えば、接続状況データ４３４は、ホストユニット３００、３０１で管理されてもよい。また、制御部３３０は、接続状況データ４３４に基づき、使用対象の信号入力端子２１０と関連する信号入力端子２１０を有効にしてもよい。例えば、制御部３３０は、アナログビデオ信号入力端子が使用対象になった場合、アナログＬ音声信号入力端子とアナログＲ音声信号入力端子を有効にし、これら以外の信号入力端子２１０を無効にしてもよい。
【００５７】
また、ホストユニット３００、３０１は、入力端子ユニット２００の接続状況が変化した際に、すべての接続状況を示す接続状況情報に代え、変化した入力端子ユニット２００に接続された機器情報とＵＳＢスロットのＩＤを示す接続状況情報をプロジェクター４００、４０１に送信してもよい。
【００５８】
また、一覧表示画像６００は、図６に示す画像に限定されない。例えば、一覧表示画像は、入力端子ユニット２００に接続された機器の名称等を示す画像であってもよい。また、入力端子ユニット２００は、画像信号と音声信号が異なる端子で入力される場合、対応する複数の信号入力端子２１０を有してもよい。例えば、入力端子ユニット２００は、アナログビデオ信号入力端子、アナログＬ音声信号入力端子、アナログＲ音声信号入力端子を有してもよい。
【００５９】
また、更新部４２０、記憶部４３０は必須ではなく、画像生成部４６０等は、投写側通信部４１０によって受信されたデジタルデータや接続状況情報に基づいて画像の生成等を行ってもよい。
【００６０】
また、プロジェクター４００、４０１と通信を行うホストユニット３００、３０１は１台に限定されず、複数同時に通信してもよい。また、プロジェクター４００、４０１とホストユニット３００、３０１の間の通信は無線通信に限定されず、有線通信であってもよい。この場合でも、ケーブルは１本で済むため、効果的である。
【００６１】
また、入力端子ユニット２００とホストユニット３００、３０１の間の伝送路はＵＳＢの伝送路に限定されず、ＩＥＥＥ１３９４等の伝送路であってもよく、無線の伝送路であってもよい。また、入力端子ユニット２００は直接プロジェクター４００、４０１に接続されてもよい。
【００６２】
また、プロジェクター４００、４０１は、液晶プロジェクター（透過型、ＬＣＯＳ等の反射型）に限定されず、例えば、デジタルマイクロミラーデバイスを用いたプロジェクター等であってもよい。また、投写部４７０は、ランプの代わりにＬＥＤ等の固体光源を含んでもよい。また、プロジェクター４００、４０１の機能を複数の装置（例えば、ＰＣとプロジェクター等）に分散してもよい。
【符号の説明】
【００６３】
１００  信号入力ユニット、２００  入力端子ユニット、２１０  信号入力端子、２２０  信号変換部、２３０  伝送部、３００、３０１  ホストユニット、３１０、３１１  ホスト部、３２０、３２１  ホスト側通信部、３３０  制御部、４００、４０１、５００  プロジェクター、４１０、４１１  投写側通信部、４２０、４２１  更新部、４３０、４３１  記憶部、４３２  デジタルデータ、４３４  接続状況データ、４４０  音声生成部、４５０  音声出力部、４６０、４６１  画像生成部、４７０  投写部、４８０  情報生成部、４９０  受付部、５１０  ＰＣ、５２０  ＤＶＤプレーヤー、５３０  ビデオデッキ、５４０  テレビ、５５０  テレビ台、５６０  プロジェクター台、６００  一覧表示画像
【図１】
2011203619.tif 000003
【図２】
2011203619.tif 000004
【図３】
2011203619.tif 000005
【図４】
2011203619.tif 000006
【図５】
2011203619.tif 000007
【図６】
2011203619.tif 000008
【図７】
2011203619.tif 000009
【図８】
2011203619.tif 000010
【図９】
2011203619.tif 000011
【図１０】
2011203619.tif 000012
【図１１】
2011203619.tif 000013